(57)【要約】【課題】  足の骨格の矯正を良好に行うことができ、関節の動きを向上させる中敷を提供する。【解決手段】  履物底の上面に配置される中敷１であって、可撓性を有する中敷本体１０と、中敷本体１０の裏面側に設けられた中足骨支持突起２０および踵骨支持突起３０とを備え、中足骨支持突起２０および踵骨支持突起３０は、先端２４，３４を履物底の上面に当接させた状態で中敷本体１０の表面側に足裏を載置することにより、中敷本体１０を介してそれぞれ第５中足骨および踵骨外側を支持するように配置されており、中敷本体１０と履物底との間には、中敷本体１０の外側縁部に沿って、中足骨支持突起２０から踵骨支持突起３０までの全体にわたって空間部が形成される。【選択図】  図１
2014135958.tif 000002
【特許請求の範囲】
【請求項１】
履物底の上面に配置される中敷であって、
可撓性を有する中敷本体と、前記中敷本体の裏面側に設けられた中足骨支持突起および踵骨支持突起とを備え、
前記中足骨支持突起および踵骨支持突起は、先端を履物底の上面に当接させた状態で前記中敷本体の表面側に足裏を載置することにより、前記中敷本体を介してそれぞれ第５中足骨および踵骨外側を支持するように配置されており、
前記中敷本体と履物底との間には、前記中敷本体の外側縁部に沿って、前記中足骨支持突起から前記踵骨支持突起までの全体にわたって空間部が形成される中敷。
【請求項２】
前記中足骨支持突起および踵骨支持突起は、突出方向先端側が小断面となる段部をそれぞれ有している請求項１に記載の中敷。
【請求項３】
請求項１または２に記載の中敷を、前記中足骨支持突起および踵骨支持突起の先端が履物底の上面に当接するように配置した履物。
【発明の詳細な説明】
【技術分野】
【０００１】
本発明は、中敷および履物に関する。
【背景技術】
【０００２】
靴、スリッパ、サンダル等の履物には、足の痛みや負担の軽減などを目的として、履物底の上面に中敷を配置することが従来から行われている。従来の中敷として、特許文献１には、シート部の裏面側である底部に複数の凸部が配置された構成が開示されており、これらの凸部による足裏への刺激がシート部を介して行われるように履物の中に敷設することで、凸部が足裏に直接接触する場合の不快感が解消され、適度な刺激によるマッサージ効果が得られるとされている。
【先行技術文献】
【特許文献】
【０００３】
【特許文献１】特開２０１１−２３９９１８号公報
【発明の概要】
【発明が解決しようとする課題】
【０００４】
ところが、上記従来の中敷は、足裏の全体に刺激を与えることができるように、シート部の底部に多数の凸部が均一に配置されていることから、足裏の全体が凸部により支持される。このため、凸部を備えない一般的な中敷と同様に履物内で中敷の上面に沿った足裏の滑りが生じ易く、踵の内反・外反や足部の外転等を矯正するものとしては十分な効果が得られなかった。
【０００５】
そこで、本発明は、足の骨格の矯正を良好に行うことができ、関節の動きを向上させることができる中敷および履物の提供を目的とする。
【課題を解決するための手段】
【０００６】
本発明の前記目的は、履物底の上面に配置される中敷であって、可撓性を有する中敷本体と、前記中敷本体の裏面側に設けられた中足骨支持突起および踵骨支持突起とを備え、前記中足骨支持突起および踵骨支持突起は、先端を履物底の上面に当接させた状態で前記中敷本体の表面側に足裏を載置することにより、前記中敷本体を介してそれぞれ第５中足骨の外側および踵骨の外側を支持するように配置されており、前記中敷本体と履物底との間には、前記中敷本体の外側縁部に沿って、前記中足骨支持突起から前記踵骨支持突起までの全体にわたって空間部が形成される中敷により達成される。
【０００７】
この中敷において、前記中足骨支持突起および踵骨支持突起は、突出方向先端側が小径となる段部をそれぞれ有していることが好ましい。
【０００８】
また、本発明の前記目的は、上述した中敷を、前記中足骨支持突起および踵骨支持突起の先端が履物底の上面に当接するように配置した履物により達成される。
【発明の効果】
【０００９】
本発明の中敷および履物によれば、足の骨格の矯正を良好に行うことができ、関節の動きを向上させることができる。
【図面の簡単な説明】
【００１０】
【図１】本発明の一実施形態に係る中敷の背面図である。
【図２】図１に示す中敷を足の骨格と共に示す平面図である。
【図３】図１に示す中敷の側面図である。
【図４】図１に示す中敷が靴底の上面に配置された履物の側面図である。
【発明を実施するための形態】
【００１１】
以下、本発明の実施の形態について、添付図面を参照して説明する。図１は、本発明の一実施形態に係る中敷の背面図である。図１に示すように、中敷１は、足裏形状に合わせて形成された中敷本体１０と、中敷本体１０の裏面側に設けられた中足骨支持突起２０および踵骨支持突起３０とを備えている。この中敷１は、履物に対して、中足骨支持突起２０および踵骨支持突起３０の先端が履物底に当接するように収容され、使用者の足裏が中敷本体１０の表面側に載置される。
【００１２】
中敷本体１０は、例えばポリエチレンやポリプロピレン等の合成樹脂からなり、単層であってもよく、あるいは、ウレタン層およびスポンジ層などの２層以上の積層構造であってもよい。中敷本体１０の材質や厚みは、可撓性を有する限り特に限定されるものではなく、従来公知の中敷を使用することができる。
【００１３】
中足骨支持突起２０および踵骨支持突起３０は、中敷本体１０の裏面側に突出するように円柱状に形成されている。図２の平面図において破線で示すように、中敷本体１０の表面側に足裏を載置した状態で、この中敷本体１０を介して、中足骨支持突起２０は第５中足骨Ｍを支持し、踵骨支持突起３０は踵骨Ｃａの外側を支持するように、それぞれ配置されている。足裏のサイズや形状は個人差があるため、中敷本体１０における中足骨支持突起２０および踵骨支持突起３０の位置を正確に特定することは困難であるが、中足骨支持突起２０および踵骨支持突起３０の少なくとも一部は、平面視において第５中足骨Ｍおよび踵骨Ｃａ外側と重なり合うように配置されることが好ましい。特に、図２に示すように、中足骨支持突起２０の中心が、第５中足骨Ｍの指節関節近傍の直下に配置され、踵骨支持突起３０の中心が、踵骨Ｃａの外側における立法骨Ｃｕ近傍の直下に配置されることが好ましく、これによって、踵骨の外反や、距骨骨頭の内反、足部の外転を矯正する効果を最大限に発揮して、硬くなった関節の動きを向上させることができる。中敷本体１０を足裏のサイズに合わせて切断する場合には、中足骨支持突起２０および踵骨支持突起３０の配置が上述した最適な配置になるべく近づくように、サイズ毎の切断線が予め設定された型紙を用いることが好ましい。中足骨支持突起２０および踵骨支持突起３０の材質は特に限定されず、例えば金属材料等であってもよいが、ゴム、ウレタン、フェルト、スポンジ等のように適度な強度と弾性を備えるものが好ましい。
【００１４】
図３は、図１に示す中敷１を矢示Ａ方向にみた側面図である。中足骨支持突起２０および踵骨支持突起３０は、突出方向先端側が小径となるようにそれぞれ段部２２，３２が形成されており、この小径部分の先端部２４，３４が履物底（図示せず）に当接する。段部２２，３２を備える中足骨支持突起２０および踵骨支持突起３０の形状は、必ずしも円柱状に限定されるものではなく、例えば、大ブロックの先端にこれよりも断面が小さい小ブロックを備える構成であってもよい。また、段部２２，３２は必須のものではなく、例えば、中足骨支持突起２０および踵骨支持突起３０を、突出方向の全体にわたって断面一定に形成してもよく、あるいは、先細の円錐台状あるいは角錐台状等に形成することもできる。
【００１５】
上記の構成を備える中敷１は、図４に示すように、中足骨支持突起２０および踵骨支持突起３０の先端が、靴などの履物４０の履物底４２の上面に当接するように配置される。これにより、中敷本体１０と履物底４２との間には、中敷本体１０の外側縁部に沿って、中足骨支持突起２０から踵骨支持突起３０までの全体にわたって空間部Ｓが形成される。中敷１が収容される履物４０は、履物底４２の上面に中敷１を保持可能であればよく、靴以外にスリッパやサンダル、ブーツ等であってもよい。中敷１は履物４０に対して着脱可能であってもよく、あるいは、中敷１を履物底４２の上面に接着する等して一体化してもよい。
【００１６】
本実施形態の中敷１によれば、中敷本体１０の表面側に足裏を載置することにより、中足骨支持突起２０および踵骨支持突起３０が、中敷本体１０を介して第５中足骨Ｍおよび踵骨Ｃａ外側を支持することにより、踵の内反・外反や足部の外転等の状態を矯正することができ、足首・膝・股関節等の違和感や不具合を軽減することができる。
【００１７】
更に、中敷本体１０と履物底４２との間には、中敷本体１０の外側縁部に沿って、中足骨支持突起２０から踵骨支持突起３０までの全体にわたって空間部Ｓが形成されるので、中敷１０は、足裏の載置により、中足骨支持突起２０と踵骨支持突起３０との間で、体重により凹状のたわみ変形が生じる。したがって、中敷１０のこの凹状部分で足裏の外側を確実に保持することができるので、中足骨支持突起２０および踵骨支持突起３０による上記効果をより確実に得ることができ、第５中足骨基部骨折（いわゆるJones骨折）の予防も図ることができる。中足骨支持突起２０および踵骨支持突起３０の高さは、空間部Ｓにより足裏を保持できる最小限の高さを確保することが好ましく、例えば、５ｍｍ程度である。
【００１８】
中敷１は、中足骨支持突起２０および踵骨支持突起３０以外には突起を備えない構成であることが好ましく、特に中足骨支持突起２０と踵骨支持突起３０との間には、突起などの異物を備えないようにして空間部Ｓを確実に形成し、中敷本体１０の変形を妨げないようにする必要がある。但し、本発明の上記効果を奏する限り、空間部Ｓ以外の部分で中敷本体１０の表面または裏面に付加的な構成要素を備えることは可能である。
【００１９】
また、本実施形態の中足骨支持突起２０および踵骨支持突起３０は、突出方向先端側が小径となる段部３２，４２を備えるため、中足骨支持突起２０および踵骨支持突起３０の必要な強度および高さを確保しつつ、中足骨支持突起２０と踵骨支持突起３０との間における中敷本体１０のたわみ変形を容易にすることができる。
【符号の説明】
【００２０】
１  中敷
１０  中敷本体
２０  中足骨支持突起
２２  段部
２４  先端部
３０  踵骨支持突起
３２  段部
３４  先端部
４０  履物
４２  履物底
Ｍ  中足骨
Ｃ  踵骨
Ｓ  空間部
【図１】
2014135958.tif 000003
【図２】
2014135958.tif 000004
【図３】
2014135958.tif 000005
【図４】
2014135958.tif 000006